(57)【要約】【課題】受信中のテレビ放送の内容に関連のあるホームページ情報を、テレビ放送の番組進行と同期して取得し表示することのできるホームページ表示装置を提供する。【解決手段】テレビ放送を表す放送情報とインターネット上のホームページの所在を表す所在情報とを含んだ放送信号を受信する放送受信部１１と、放送受信部１１が受信した放送信号に含まれる放送情報が表すテレビ放送を所定の表示装置の第１の表示領域に表示する第１の表示部１２と、放送受信部１１が受信した放送信号に含まれる所在情報が所在を表すホームページにアクセスし、そのホームページが提供する情報を、テレビ放送の番組進行と同期して取得するホームページ情報取得部１３と、ホームページ情報取得部１３によって取得された情報を、上記表示装置の第２の表示領域にテレビ放送の番組進行と同期して表示する第２の表示部１４とを備えた。【選択図】　図１
2004023641.tif 000002
【特許請求の範囲】
【請求項１】
テレビ放送を表す放送情報とインターネット上のホームページの所在を表す所在情報とを含んだ放送信号を受信する放送受信部と、
前記放送受信部が受信した放送信号に含まれる放送情報が表すテレビ放送を所定の表示装置の第１の表示領域に表示する第１の表示部と、
前記放送受信部が受信した放送信号に含まれる所在情報を抽出し、該所在情報を抽出したことをトリガとして、該所在情報が所在を表すホームページにアクセスすることにより、該ホームページが提供する情報を、前記テレビ放送の番組進行と同期して取得するホームページ情報取得部と、
前記ホームページ情報取得部によって取得された情報を、前記表示装置の第２の表示領域に、前記テレビ放送の番組進行と同期して表示する第２の表示部とを備えたことを特徴とするホームページ表示装置。
【請求項２】
テレビ放送の映像を表す映像信号を受信する映像受信部と、前記映像受信部が受信した映像信号が表す映像を解析して、該映像に含まれる文字列を認識する文字認識部と、
前記文字認識部によって認識された文字列が、インターネット上のホームページの所在を表す所在文字列である場合に、該所在文字列が認識されたことをトリガとして、該所在文字列が所在を表すホームページにアクセスすることにより、該ホームページが提供する情報を、前記テレビ放送の番組進行と同期して取得するホームページ情報取得部と、
前記ホームページ情報取得部によって取得された情報を、前記テレビ放送の番組進行と同期して表示する表示部とを備えたことを特徴とするホームページ表示装置。
【請求項３】
前記文字認識部によって認識された文字列に基づいて前記インターネット上のホームページを検索する検索部を備え、
前記ホームページ情報取得部が、前記検索部によって見つかったホームページに、該ホームページが見つかったことをトリガとしてアクセスし、該ホームページが提供する情報を、前記テレビ放送の番組進行と同期して取得するものであることを特徴とする請求項２記載のホームページ表示装置。
【請求項４】
テレビ放送の音声を表す音声信号を受信する音声受信部と、前記音声受信部が受信した音声信号が表す音声を解析して、該音声に含まれる単語を認識する音声認識部と、
前記音声認識部によって認識された単語が、インターネット上のホームページの所在を表す所在単語である場合に、該所在単語が認識されたことをトリガとして、該所在単語が所在を表すホームページにアクセスすることにより、該ホームページが提供する情報を、前記テレビ放送の番組進行と同期して取得するホームページ情報取得部と、
前記ホームページ情報取得部によって取得された情報を、前記テレビ放送の番組進行と同期して表示する表示部とを備えたことを特徴とするホームページ表示装置。
【請求項５】
前記音声認識部によって認識された単語に基づいて前記インターネット上のホームページを検索する検索部を備え、
前記ホームページ情報取得部が、前記検索部によって見つかったホームページに、該ホームページが見つかったことをトリガとしてアクセスし、該ホームページが提供する情報を、前記テレビ放送の番組進行と同期して取得するものであることを特徴とする請求項４記載のホームページ表示装置。
【発明の詳細な説明】
【０００１】
【発明の属する技術分野】
本発明は、　テレビ放送の受信中にその放送内容に関連のあるホームページ情報を表示するホームページ表示装置に関する。
【０００２】
【従来の技術】
最近、インターネットおよびパーソナルコンピュータの普及に伴い、テレビ番組やコマーシャルの放送内容に関連のある情報がホームページ上で公開されることが多くなり、パーソナルコンピュータを用いてインターネットのホームページにアクセスしてこれらの関連情報を入手するというニーズが増加している。
【０００３】
このような場合、現状では、テレビ番組やコマーシャルを見ている最中に、必要と思われるＵＲＬ情報、商品名、会社名などを記憶しておくか、またはメモを取っておき、別途、パーソナルコンピュータなどによりインターネットにアクセスしてＵＲＬを直接入力するか、または、インターネット上の検索サイトを利用して商品名や会社名などからホームページを検索して情報を入手するという方法が取られている。
【０００４】
図２１は、従来の、テレビ放送受信中にＵＲＬ情報を取得しそのに基づきホームページ情報を入手する場合の概要図である。
【０００５】
図２１に示すように、放送されているテレビ番組やコマーシャルを見ている視聴者がテレビ画面９１上に表示されたＵＲＬ情報、例えば“ｆｕｊｉｂｅｅｒ．ｃｏｍ”をメモ９２に書き留めておいて、別途、パーソナルコンピュータ９３を起動し、パーソナルコンピュータ９３内部にインストールされているウェブブラウザなどを用いて、メモ９２に書き留めておいた上記のＵＲＬ情報に基づき、“ｈｔｔｐ：／ｗｗｗ．ｆｕｊｉｂｅｅｒ．ｃｏｍ”のように入力することによりそのホームページ情報をパーソナルコンピュータ９３上に表示させることができる。
【０００６】
また、テレビ画面９１上で直接ＵＲＬ情報を得られなかった場合でも、商品名や会社名などの関連情報を知ることができた場合は、その商品名や会社名などを記憶しておくか、あるいはメモ９２などに書き留めておいて、別途、パーソナルコンピュータ９３を起動し、インターネット情報検索サイトなどにアクセスし、その商品名や会社名などを基にホームページ検索を行って必要な情報を入手することができる。
【０００７】
【発明が解決しようとする課題】
しかし、実際に、テレビ画面９１上に表示されたＵＲＬ情報を正確に記憶したり、メモに書き留めておくことは難しく、タイムリーにホームページ情報を入手することは困難である。
【０００８】
さらに、商品名や会社名などの関連情報を基にＵＲＬ情報を検索してからホームページにアクセスする操作は煩雑であり、誰にでもその操作ができるとは限らず、タイムリーに情報を入手することができないという問題がある。
【０００９】
本発明は、上記事情に鑑み、　受信中のテレビ放送の内容に関連のあるホームページ情報を、特別な操作なしに、テレビ放送の番組進行と同期して取得し表示することのできるホームページ表示装置を提供することを目的とする。
【００１０】
【課題を解決するための手段】
上記目的を達成する本発明の第１のホームページ表示装置は、
テレビ放送を表す放送情報とインターネット上のホームページの所在を表す所在情報とを含んだ放送信号を受信する放送受信部と、
上記放送受信部が受信した放送信号に含まれる放送情報が表すテレビ放送を所定の表示装置の第１の表示領域に表示する第１の表示部と、
上記放送受信部が受信した放送信号に含まれる所在情報を抽出し、その所在情報を抽出したことをトリガとして、その所在情報が所在を表すホームページにアクセスすることにより、そのホームページが提供する情報を、上記テレビ放送の番組進行と同期して取得するホームページ情報取得部と、
上記ホームページ情報取得部によって取得された情報を、上記表示装置の第２の表示領域に、上記テレビ放送の番組進行と同期して表示する第２の表示部とを備えたことを特徴とする。
【００１１】
本発明の第１のホームページ表示装置によれば、予め、放送局側で放送信号の中にホームページの所在情報を埋め込んでおくなどの処理を行っておくことにより、視聴者側における特別な操作を必要とせずに受信中のテレビ放送の内容に関連のあるホームページ情報を自動的に取得し、それを放送受信画面と同一画面上にテレビ放送の番組進行と同期して表示することができる。
【００１２】
また、上記目的を達成する本発明の第２のホームページ表示装置は、
テレビ放送の映像を表す映像信号を受信する映像受信部と、
上記映像受信部が受信した映像信号が表す映像を解析して、その映像に含まれる文字列を認識する文字認識部と、
上記文字認識部によって認識された文字列が、インターネット上のホームページの所在を表す所在文字列である場合に、その所在文字列が認識されたことをトリガとして、その所在文字列が所在を表すホームページにアクセスすることにより、そのホームページが提供する情報を、上記テレビ放送の番組進行と同期して取得するホームページ情報取得部と、
上記ホームページ情報取得部によって取得された情報を、上記テレビ放送の番組進行と同期して表示する表示部とを備えたことを特徴とする。
【００１３】
本発明の第２のホームページ表示装置によれば、放送局側および視聴者側における特別な処理や操作を必要とせずに受信中のテレビ放送の内容に関連のあるホームページ情報を自動的に取得してテレビ放送の番組進行と同期して画面上に表示することができる。
【００１４】
ここで、上記文字認識部によって認識された文字列に基づいて上記インターネット上のホームページを検索する検索部を備え、
上記ホームページ情報取得部が、上記検索部によって見つかったホームページに、そのホームページが見つかったことをトリガとしてアクセスし、そのホームページが提供する情報を、上記テレビ放送の番組進行と同期して取得するものであることことが好ましい。
【００１５】
本発明の第２のホームページ表示装置をこのように構成した場合は、放送の映像にＵＲＬ情報等が含まれていない場合であっても、会社名や商品名等に基づいてホームページを見付けてその情報をテレビ放送の番組進行と同期して表示することができる。
【００１６】
また、上記目的を達成する本発明の第３のホームページ表示装置は、
テレビ放送の音声を表す音声信号を受信する音声受信部と、
上記音声受信部が受信した音声信号が表す音声を解析して、その音声に含まれる単語を認識する音声認識部と、
上記音声認識部によって認識された単語が、インターネット上のホームページの所在を表す所在単語である場合に、その所在単語が認識されたことをトリガとして、その所在単語が所在を表すホームページにアクセスすることにより、そのホームページが提供する情報を、上記テレビ放送の番組進行と同期して取得するホームページ情報取得部と、
上記ホームページ情報取得部によって取得された情報を、上記テレビ放送の番組進行と同期して表示する表示部とを備えたことを特徴とする。
【００１７】
本発明の第３のホームページ表示装置によれば、放送局側および視聴者側における特別な操作を必要とせずに受信中のテレビ放送の内容に関連のあるホームページ情報を自動的に取得して画面上にテレビ放送の番組進行と同期して表示することができる。
【００１８】
ここで、上記音声認識部によって認識された単語に基づいて上記インターネット上のホームページを検索する検索部を備え、
上記ホームページ情報取得部が、上記検索部によって見つかったホームページに、そのホームページが見つかったことをトリガとしてアクセスし、そのホームページが提供する情報を、上記テレビ放送の番組進行と同期して取得するものであることが好ましい。
【００１９】
本発明の第３のホームページ表示装置をこのように構成した場合は、放送の音声にＵＲＬ情報等が含まれていない場合であっても、会社名や商品名等に基づいてホームページを見付けてその情報をテレビ放送の番組進行と同期して表示することができる。
【００２０】
【発明の実施の形態】
以下、本発明の実施形態について説明する。
【００２１】
図１は、第１の実施形態のホームページ表示装置の概略構成図である。
【００２２】
この第１の実施形態は、本発明の第１のホームページ表示装置の一例に相当するものである。
【００２３】
図１に示すように、この第１の実施形態のホームページ表示装置１０は、放送受信部１１と、第１の表示部１２と、ホームページ情報取得部１３と、第２の表示部１４とを備えている。
【００２４】
放送受信部１１は、テレビ放送を表す放送情報とインターネット上のホームページの所在を表す所在情報とを含んだ放送信号を受信するものであり、第１の表示部１２は、放送受信部１１が受信した放送信号に含まれる放送情報が表すテレビ放送を所定の表示装置の第１の表示領域１２ａに表示するものであり、ホームページ情報取得部１３は、放送受信部１１が受信した放送信号に含まれる所在情報を抽出し、その所在情報を抽出したことをトリガとして、その所在情報が所在を表すホームページにアクセスすることにより、そのホームページが提供する情報を、テレビ放送の番組進行と同期して取得するものであり、第２の表示部１４は、ホームページ情報取得部１３によって取得された情報を、上記表示装置の第２の表示領域１２ｂに、テレビ放送の番組進行と同期して表示するものである。
【００２５】
図２は、第１の実施形態のホームページ表示装置が組み込まれたコンピュータシステムの概要図である。
【００２６】
図２に示すコンピュータシステム５０は、テレビチューナを内蔵したコンピュータ本体５１、ホームページ情報をテレビ放送の番組進行と同期して表示することのできる表示装置５２、コンピュータ本体５１に必要な命令を入力するキーボード５３、テレビ放送の受信チャンネルその他を指示する赤外線コマンダ５４、コンピュータ本体５１をインターネットに接続する通信回線５５、テレビ放送を受信するＴＶアンテナ５６などを備えている。
【００２７】
コンピュータ本体５１には、図２に示す放送受信部１１、第１の表示部１２、ホームページ情報取得部１３、および第２の表示部１４が形成されている。
【００２８】
また、このホームページ情報取得部１３には、ＵＲＬ情報に基づいてインターネットのホームページを閲覧するためのウェブブラウザがインストールされており、さらに、ホームページ情報取得部１３で取得したＵＲＬ情報を格納するＵＲＬデータベースが形成されている。ＵＲＬデータベースのデータ構造については後述する。
【００２９】
この第１の実施形態では、例えば、テレビ放送局側では、放送信号の垂直帰線区間に、テレビ番組やコマーシャルの画面に同期させて、画面に関連するホームページのＵＲＬ情報を埋め込んでテレビ放送を行う。
【００３０】
ホームページ表示装置側では、コンピュータシステム５０（図２参照）に備えられた放送受信部１１が、テレビ放送を表す放送情報とインターネット上のホームページの所在を表す所在情報とを含んだ放送信号を受信し、第１の表示部１２が、放送受信部１１が受信した放送信号に含まれる放送情報が表すテレビ放送を、表示装置５２の第１の表示領域５２＿１に表示する。それとともに、ホームページ情報取得部１３は、放送受信部１１が受信した放送信号に含まれるＵＲＬ情報、すなわち本発明にいう所在情報が所在を表すホームページにアクセスし、そのホームページが提供する情報をテレビ放送の番組進行と同期して取得し、第２の表示部１４は、ホームページ情報取得部１３によって取得された情報を、表示装置５２の第２の表示領域５２＿２にテレビ放送の番組進行と同期して表示する。
【００３１】
図３は、図２に示したコンピュータシステムのハードウェア構成図である。
【００３２】
図３に示すように、このコンピュータシステム５０は、ＣＰＵ（中央演算処理装置）１０１、メモリ１０２、表示部１０３、キーボード１０４、赤外線コマンダ１０５、ファイル１０６、テレビチューナ部１０７、通信制御部１０８、およびこれらを相互に接続するバス１０９から構成されている。
【００３３】
テレビチューナ部１０７にはテレビアンテナ１０７ａが接続されており、通信制御部１０８はモデム又はＬＡＮを介してインターネット１０８ａに接続されている。
【００３４】
図３に示すＣＰＵ１０１、メモリ１０２、キーボード１０４、赤外線コマンダ１０５、ファイル１０６、テレビチューナ部１０７、通信制御部１０８などのハードウェアにより、図１に示すホームページ表示装置１０の各部が構成される。
【００３５】
次に、第１の実施形態におけるテレビ放送局側の処理について詳しく説明する。
【００３６】
先ず、テレビ放送局側では、テレビ番組表およびコマーシャルのタイムテーブルを参照しながら、パーソナルコンピュータなどの情報機器により、インターネットのホームページを検索してテレビ番組またはコマーシャルの放送信号の中に含ませたいＵＲＬ情報を収集する。
【００３７】
図４は、第１の実施形態におけるテレビ放送局側で収集したＵＲＬ情報を示す図である。
【００３８】
例えば、図４に示すように、ＸＸＸテレビ放送局で１２月２５日７時００分から放送されるＸＸＸニュース番組に対し“ｈｔｔｐ：／／ｗｗｗ．ｘｘｘ．ｃｏ．ｊｐ／ｎｅｗｓ７”というＵＲＬ情報を収集し、１２月２６の１５時３０分から放送されるＢＩＢＬＯコマーシャルに対し“ｈｔｔｐ：／／ｗｗｗ．ｆｍｗｏｒｌｄ．ｎｅｔ／ｐｒｏｄｕｃｔ／ｆｒａｍｅ／ｐｃｐｍ０１１０／ｂｉｂｌｏ／”というＵＲＬ情報を収集する。こうして収集したＵＲＬ情報を、各放送番組やコマーシャルの送信信号が開始される先頭部分の垂直帰線区間に埋め込むことにより、テレビ放送を表す放送情報と、インターネット上のホームページの所在を表す所在情報とを含んだ放送信号を形成することができる。
【００３９】
図５は、第１の実施形態における放送信号に含まれる所在情報のフォーマットである。
【００４０】
図５に示すように、所在情報５８の先頭にはＵＲＬ情報の開始を示すＵＲＬ開始ヘッダ５８ａ、末尾にはＵＲＬ情報の終了を示すＵＲＬ終了フッタ５８ｄが配置され、その間に、商品名、会社名などの関連情報５８ｂと、ＵＲＬ情報５８ｃとが配置されている。
【００４１】
この所在情報５８は、放送電波に乗せて送出されるため、電波状態によっては情報の欠落が発生し、受信側で正しく受信できない恐れもあるので、垂直帰線区間の映像信号に、同一の所在情報を複数回乗せて送出することにより、受信側でのＵＲＬ検出精度を向上させることができる。
【００４２】
図６は、第１の実施形態におけるテレビ放送局から所在情報が送信される様子を示す図である。
【００４３】
図６に示すように、例えば、テレビ放送局６０から１２月２５日７時００分のＸＸＸニュース番組を放送するに際して、コンピュータシステム６２によりインターネット６１上のホームページ情報を検索して収集してファイル６３に格納しておいたＵＲＬ情報、例えば、図４に示した“ｈｔｔｐ：／／ｗｗｗ．ｘｘｘ．ｃｏ．ｊｐ／ｎｅｗｓ７”なるＵＲＬ情報を含む所在情報５８を、映像信号６４の垂直帰線区間６５に埋め込み、所在情報５８が埋め込まれた放送信号６７を送信アンテナ６６を介して送信する。
【００４４】
図７は、第１の実施形態におけるテレビ放送の受信信号からＵＲＬ情報を取得する様子を示す図である。
【００４５】
図７に示すように、テレビ放送局から送られてくる放送信号は、本実施形態のホームページ表示装置７０で受信され、映像信号７１の垂直帰線区間７２に埋め込まれた所在情報の中からＵＲＬ情報が取り出され、そのＵＲＬ情報によるインターネット７３上のホームページへのアクセスにより、そのホームページが提供するホームページ情報が取得され、表示装置７４上にテレビ放送７４ａとともにホームページ情報７４ｂが表示される。
【００４６】
図８は、第１の実施形態のホームページ表示装置における処理の流れを示すフローチャートである。
【００４７】
ホームページ表示装置５０（図２参照）の利用者が赤外線コマンダ５４などを操作して、図８に示すように、受信チャンネルを合わせる（ステップＳ０１）ことにより、コンピュータ本体５１に内蔵されたチューナ部（放送受信部１１（図１参照））はテレビ放送の映像信号を検出する（ステップＳ０２）。第１の表示部１２（図１参照）は、放送受信部１１が受信したテレビ放送を表示装置の第１の表示領域５２＿１（図２参照）に表示する。
【００４８】
次に、ホームページ情報取得部１３（図１参照）により、映像信号の垂直帰線区間に埋め込まれた所在情報に含まれるＵＲＬ開始ヘッダの検出が行われる（ステップＳ０３）。所在情報のデータ構造は、図５に示したように、ＵＲＬ開始ヘッダ５８ａ、商品名、会社名などの関連情報５８ｂ、ＵＲＬ情報５８ｃ、ＵＲＬ終了フッタ５８ｄとから構成されている。
【００４９】
ＵＲＬ開始ヘッダの検出に続いて、ＵＲＬ情報の取得が行われる（ステップＳ０４）。
【００５０】
ＵＲＬ終了フッタ５８ｄが検出されると（ステップＳ０５）、所在情報の本体部分である商品名、会社名などの関連情報５８ｂとＵＲＬ情報５８ｃが取り出され、コンピュータ本体５１（図２参照）内に形成されたＵＲＬデータベースに保存される（ステップＳ０６）。
【００５１】
図９は、本実施形態に用いられるＵＲＬデータベースのデータ構造を示す図である。
【００５２】
このＵＲＬデータベースは、図３に示すファイル１０６内に形成される。
【００５３】
図９に示すように、このＵＲＬデータベース７５には、例えば“富士ビール”といった商品名・会社名等の情報７５ａ、例えば“ｊｐ．ｆｕｊｉｂｅｅｒ．ｃｏｍ”といったＵＲＬ７５ｂ、例えば“２００２：０４：０１　１２：００”といった最終アクセス日時７５ｃなどが記録されるようになっている。
【００５４】
ステップＳ０５で取り出されたＵＲＬ情報は、ステップＳ０６でＵＲＬデータベース７５に保存されるが、その際に、例えば、同一のコマーシャルが短時間の間に繰り返し放送された場合などには、その都度ホームページ情報を表示したのでは視聴者にとってうるさく感じられる恐れがあるので、最終アクセス日時７５ｃを見て直近に表示が行われている場合にはステップＳ０７以降の処理をスキップしてステップＳ０３に戻るようにしてホームページ情報の表示を中止することができる。
【００５５】
図８のステップＳ０５でＵＲＬ終了フッタが検出された後、ＵＲＬ情報はホームページ情報取得部１３（図１参照）にインストールされているウェブブラウザに送られ（ステップＳ０７）、ウェブブラウザはそのＵＲＬのホームページにアクセスして（ステップＳ０８）ホームページ情報を取得する。
【００５６】
第２の表示部１４（図１参照）はそのホームページ情報を第２の表示領域５２＿２（図２参照）にテレビ放送の番組進行と同期して表示する（ステップＳ０９）。
【００５７】
以上説明したように、テレビ放送局側で、テレビ番組やコマーシャルの画面に同期させてテレビ画面に関連のあるホームページのＵＲＬ情報を、例えば、テレビ放送の映像信号の垂直帰線区間に埋め込んで放送することにより、視聴者側のコンピュータシステム５０（図２参照）に組み込まれたホームページ表示装置１０（図１参照）の放送受信部１１およびホームページ情報取得部１３がＵＲＬ情報を取得し、インターネットにアクセスしてホームページ情報を取得し、第１の表示部１２により、表示装置５２（図２参照）の第１の表示領域５２＿１にテレビの放送情報を表示するとともに、第２の表示部１４により、表示装置５２（図２参照）の第２の表示領域５２＿２にホームページ情報を表示する。
【００５８】
このように、第１の実施形態のホームページ表示装置によれば、利用者は、ＵＲＬ情報の検索やインターネットのホームページへのアクセスなどの特別な操作を行うことなしに、テレビ番組やコマーシャルが表示された同じ画面上でインターネットのホームページ情報を見ることができる。
【００５９】
なお、上記の第１の実施形態では、ホームページの所在を表す所在情報を映像信号の垂直帰線区間に相当する部分に埋め込む例について示したが、所在情報を含ませる個所は、映像信号の垂直帰線区間にのみ限られるものではなく、映像信号の中から取り出すことの可能な個所であればいずれの個所でもよい。
【００６０】
また、本発明にいう所在情報は必ずしもＵＲＬ情報にのみ限られるものではなく、ホームページの所在を表す情報であればどのような情報でもよい。
【００６１】
次に、本発明の第２の実施形態について説明する。
【００６２】
図１０は、第２の実施形態のホームページ表示装置の概略構成図である。
【００６３】
この第２の実施形態は、本発明の第２のホームページ表示装置の一例に相当するものである。
【００６４】
図１０に示すように、この第２の実施形態のホームページ表示装置２０は、映像受信部２１と、文字認識部２２と、ホームページ情報取得部２３と、表示部２４とを備えている。
【００６５】
映像受信部２１は、テレビ放送の映像を表す映像信号を受信するものであり、文字認識部２２は、映像受信部２１が受信した映像信号が表す映像を解析して、該映像に含まれる文字列を認識するものであり、ホームページ情報取得部２３は、文字認識部２２によって認識された文字列が、インターネット上のホームページの所在を表す所在文字列である場合に、その所在文字列が認識されたことをトリガとして、その所在文字列が所在を表すホームページにアクセスすることにより、そのホームページが提供する情報を、テレビ放送の番組進行と同期して取得するものであり、表示部２４は、ホームページ情報取得部２３によって取得された情報を、テレビ放送の番組進行と同期して表示するものである。
【００６６】
図１１は、第２の実施形態のホームページ表示装置が組み込まれたコンピュータシステムの概要図である。
【００６７】
図１１に示すコンピュータシステム８０は、テレビチューナを内蔵したコンピュータ本体８１、インターネットのホームページ情報を表示する表示装置８２、コンピュータ本体８１に必要な命令を入力するキーボード８３、テレビ放送の受信チャンネルその他を指示する赤外線コマンダ８４、コンピュータ本体８１をインターネットに接続する通信回線８５、テレビ放送を受信するＴＶアンテナ８６を備えている。
【００６８】
コンピュータ本体８１には、図１０に示す映像受信部２１、文字認識部２２、およびホームページ情報取得部２３が形成されており、表示装置８２には、図１０に示す表示部２４が形成されている。
【００６９】
また、このホームページ情報取得部２３には、ＵＲＬ情報に基づいてホームページを閲覧するためのウェブブラウザがインストールされており、さらに、ホームページ情報取得部１３で取得したＵＲＬ情報を格納するＵＲＬデータベースが形成されている。
【００７０】
図１１には、コンピュータシステム８０とは別に設けられたテレビ受像機８７およびリモートコントローラ８８とを用いてテレビ放送を受信している状態で、コンピュータシステム８０の表示装置８２の画面上にホームページ情報を表示する実施形態が示されているが、テレビ受像機８７を、コンピュータシステム８０と別の装置とはせずに、コンピュータ本体８１の表示装置８２の画面上に放送情報とホームページ情報とを同時に表示するように構成してもよい。
【００７１】
図１１に示したコンピュータシステム８０のハードウェア構成は図３に示したコンピュータシステムと同様である。
【００７２】
図１２は、第２の実施形態のホームページ表示装置における処理の流れを示すフローチャートである。
【００７３】
ホームページ表示装置８０（図１１参照）およびテレビ受像機８７の利用者がリモートコントローラ８８、赤外線コマンダ８４などを操作して、図１２に示すように、受信チャンネルを合わせる（ステップＳ１１）ことにより、テレビ受像機８７はそのチャンネルの放送情報を画面上に表示する。それとともに、コンピュータ本体８１に内蔵された映像受信部２１（図１０参照）はテレビ放送の映像信号を検出する（ステップＳ１２）。
【００７４】
文字認識部２２（図１０参照）は、検出された映像信号をキャプチャし、文字認識を行って文字情報を抽出する（ステップＳ１３）。次に、特定文字情報の検出が行われる（ステップＳ１４）。
【００７５】
ここで、特定文字情報としては、”ｈｔｔｐ”、“ｗｗｗ”、“．ｊｐ”、“．ｃｏｍ”などのＵＲＬの表示によく用いられる文字列を用いている。
【００７６】
ステップＳ１５において上記の特定文字情報が検出された場合はステップＳ１６に進み、上記の特定文字情報が検出されなかった場合は特定文字情報の検出操作を繰り返す。
【００７７】
ステップＳ１６では、文字認識により、ステップＳ１３でキャプチャした情報の中からＵＲＬ情報を取り込み、コンピュータ本体８１（図１１参照）内に形成されたＵＲＬデータベースに保存する（ステップＳ１７）とともに、取り込んだＵＲＬ情報を、ホームページ情報取得部２３（図１０参照）にインストールされているウェブブラウザに送り（ステップＳ１８）、ウェブブラウザは、そのＵＲＬ情報に基づきホームページにアクセスして（ステップＳ１９）、ホームページ情報を取得し、表示部２４は、そのホームページ情報を表示装置の画面上にテレビ放送の番組進行と同期して表示する（ステップＳ２０）。次に、ステップＳ１５に戻り特定文字情報の検出操作が繰り返される。
【００７８】
このように、第２の実施形態のホームページ表示装置によれば、利用者は、ＵＲＬ情報の検索やインターネットのホームページへのアクセスなどの特別な操作を行うことなしに、テレビ番組を見るのと同時にインターネットのホームページ情報を見ることができる。
【００７９】
次に、本発明の第３の実施形態について説明する。
【００８０】
図１３は、第３の実施形態のホームページ表示装置の概略構成図である。
【００８１】
この第３の実施形態は、本発明の第２の実施形態の変形例であり、第２の実施形態のホームページ表示装置に、文字認識部２２によって認識された文字列に基づいてインターネット上のホームページを検索する検索部２５が付加されたものであり、ホームページ情報取得部２３が、検索部２５によって見つかったホームページにアクセスすることにより、そのホームページが提供する情報を、テレビ放送の番組進行と同期して取得するよう構成されている。
【００８２】
図１３に示すように、この第３の実施形態のホームページ表示装置３０は、映像受信部２１と、文字認識部２２と、ホームページ情報取得部２３と、表示部２４と、検索部２５とを備えている。
【００８３】
この第３の実施形態におけるハードウェア構成は、図１１に示したコンピュータシステムのハードウェア構成と同様である。
【００８４】
図１４は、第３の実施形態のホームページ表示装置における処理の流れを示すフローチャートである。
【００８５】
ホームページ表示装置８０およびテレビ受像機８７（図１１参照）の利用者がリモートコントローラ８８、赤外線コマンダ８４などを操作して、図１４に示すように、受信チャンネルを合わせる（ステップＳ２１）ことにより、テレビ受像機８７はそのチャンネルの放送情報を画面上に表示し、それとともに、コンピュータ本体８１に内蔵された映像受信部２１（図１３参照）はテレビ放送の映像信号を検出する（ステップＳ２２）。
【００８６】
映像認識部２２（図１３参照）は、検出された映像信号をキャプチャし、文字認識を行って文字情報を抽出する（ステップＳ２３）。次に、特定文字情報の検出が行われる（ステップＳ２４）。
【００８７】
ここで、特定文字情報としては、”株式会社”、“（株）”などの、会社名を表すためによく用いられる文字列を用いている。
【００８８】
ステップＳ２５において上記の特定文字情報が検出された場合はステップＳ２６に進み、上記の特定文字情報が検出されない場合はステップＳ２７に進む。
【００８９】
ステップＳ２６では、検出された特定文字情報に基づき会社名を取り込み、ステップＳ２８に進む。
【００９０】
一方、ステップＳ２７では、上記の特定文字情報以外の文字情報の抽出操作が行われる。例えば、ステレオ放送の場合は、コマーシャルである可能性が高いので商品名が表示される可能性も高い。そこで、ステップＳ２３で抽出した文字情報の中から商品名である可能性の高い文字列を抽出し、ステップＳ２８に進む。
【００９１】
ステップＳ２８では、ステップＳ２６で得られた会社名、あるいはステップＳ２７で得られた商品名などの情報を基に、先ず、コンピュータ本体８１（図１１参照）内に形成されたＵＲＬデータベース７５（図９参照）を検索して、ＵＲＬデータベース７５に該当するＵＲＬ情報が存在するか否かを検索し、存在しない場合はインターネット検索サイト等を用いてＵＲＬ情報の検索を行い（ステップＳ２８）、ＵＲＬ情報が検索された場合（ステップＳ２９）はステップＳ３０に進み、検索されたＵＲＬ情報をＵＲＬデータベースに保存するとともに、ホームページ情報取得部２３（図１３参照）にインストールされているウェブブラウザにＵＲＬ情報を送る（ステップＳ３１）。ウェブブラウザは、そのＵＲＬ情報に基づきホームページにアクセスしてホームページ情報を取得し（ステップＳ３２）、表示部２４は、そのホームページ情報を表示装置の画面上にテレビ放送の番組進行と同期して表示する（ステップＳ３３）。次に、ステップＳ２５に戻り特定文字情報の検出操作が繰り返される。
【００９２】
このように、第３の実施形態のホームページ表示装置によれば、利用者は、ＵＲＬ情報の検索やインターネットのホームページへのアクセスなどの特別な操作を行うことなしに、テレビ番組を見るのと同時にインターネットのホームページ情報を見ることができる。
【００９３】
次に、本発明の第４の実施形態について説明する。
【００９４】
図１５は、第４の実施形態のホームページ表示装置の概略構成図である。
【００９５】
この第４の実施形態は、本発明の第３のホームページ表示装置の一例に相当するものである。
【００９６】
図１５に示すように、この第４の実施形態のホームページ表示装置４０は、音声受信部４１と、音声認識部４２と、ホームページ情報取得部４３と、表示部４４とを備えている。
【００９７】
音声受信部４１は、テレビ放送の音声を表す音声信号を受信するものであり、音声認識部４２は、音声受信部４１が受信した音声信号が表す音声を解析して、その音声に含まれる単語を認識するものであり、ホームページ情報取得部４３は、音声認識部４２によって認識された単語が、インターネット上のホームページの所在を表す所在単語である場合に、その所在単語が認識されたことをトリガとして、その所在単語が所在を表すホームページにアクセスし、そのホームページが提供する情報を、テレビ放送の番組進行と同期して取得するものであり、表示部４４は、ホームページ情報取得部４３によって取得された情報を、テレビ放送の番組進行と同期して表示するものである。
【００９８】
この第４の実施形態におけるハードウェア構成は、図１１に示したコンピュータシステムのハードウェア構成と同様である。
【００９９】
図１６は、第４の実施形態のホームページ表示装置における処理の流れを示すフローチャートである。
【０１００】
ホームページ表示装置８０（図１１参照）およびテレビ受像機８７の利用者がリモートコントローラ８８、赤外線コマンダ８４などを操作して、図１６に示すように、受信チャンネルを合わせる（ステップＳ４１）ことにより、テレビ受像機８７はそのチャンネルの放送情報を画面上に表示する。それとともに、コンピュータ本体８１に内蔵された音声受信部４１（図１５参照）はテレビ放送の音声信号を検出する（ステップＳ４２）。
【０１０１】
音声認識部４２（図１５参照）は、検出された音声信号をキャプチャし、音声認識を行って単語情報を抽出する（ステップＳ４３）。次に、特定単語情報の検出が行われる（ステップＳ４４）。
【０１０２】
ここで、特定単語情報としては、”ｈｔｔｐ”、“ｗｗｗ”、“．ｊｐ”、“．ｃｏｍ”などのＵＲＬによく用いられる文字列の音を用いている。
【０１０３】
ステップＳ４５以降の処理は、図１４を参照して説明した第３の実施形態におけるフローチャートと同等であるので以下の説明は省略する。
【０１０４】
このように、第４の実施形態のホームページ表示装置によれば、利用者は、ＵＲＬ情報の検索やインターネットのホームページへのアクセスなどの特別な操作を行うことなしに、テレビ番組を見るのと同時にインターネットのホームページ情報を見ることができる。
【０１０５】
次に、本発明の第５の実施形態について説明する。
【０１０６】
図１７は、第５の実施形態のホームページ表示装置の概略構成図である。
【０１０７】
この第５の実施形態は、本発明の第４の実施形態の変形例であり、第４の実施形態のホームページ表示装置に、音声認識部４２によって認識された単語に基づいてインターネット上のホームページを検索する検索部４５が付加されたものであり、ホームページ情報取得部４３が、検索部４５によって見つかったホームページにアクセスすることにより、そのホームページが提供する情報を、テレビ放送の番組進行と同期して取得するよう構成されたものである。
【０１０８】
図１７に示すように、この第５の実施形態のホームページ表示装置５０は、映像受信部４１と、音声認識部４２と、ホームページ情報取得部４３と、表示部４４と、検索部４５とを備えている。
【０１０９】
この第５の実施形態におけるハードウェア構成は、図１１に示したコンピュータシステムのハードウェア構成と同様である。
【０１１０】
図１８は、第５の実施形態のホームページ表示装置における処理の流れを示すフローチャートである。
【０１１１】
ホームページ表示装置８０およびテレビ受像機８７（図１１参照）の利用者がリモートコントローラ８８、赤外線コマンダ８４などを操作して、図１８に示すように、受信チャンネルを合わせる（ステップＳ５１）ことにより、テレビ受像機８７はそのチャンネルの放送情報を画面上に表示する。それとともに、コンピュータ本体８１に内蔵された音声受信部４１（図１７参照）はテレビ放送の音声信号を検出する（ステップＳ５２）。
【０１１２】
音声認識部４２（図１７参照）は、検出された音声信号をキャプチャし、音声認識を行って単語を抽出する（ステップＳ５３）。次に、特定単語情報の検出が行われる（ステップＳ５４）。
【０１１３】
ここで、特定単語情報としては、”株式会社”、“（株）”などの、会社名を表すためによく用いられる音節を用いている。
【０１１４】
ステップＳ５５以降の処理は、図１６を参照して説明した第４の実施形態におけるフローチャートと同等であるので以下の説明は省略する。
【０１１５】
このように、第５の実施形態のホームページ表示装置によれば、利用者は、ＵＲＬ情報の検索やインターネットのホームページへのアクセスなどの特別な操作を行うことなしに、テレビ番組を見るのと同時にインターネットのホームページ情報を見ることができる。
【０１１６】
なお、上記の各実施形態の説明では、予め、放送信号の垂直帰線区間に埋め込まれたＵＲＬ情報を検出する方法、映像信号をキャプチャしその中に含まれているＵＲＬ情報を検出する方法、および、音声信号をキャプチャしその中に含まれているＵＲＬ情報を検出する方法の３通りのＵＲＬ情報検出方法をそれぞれ採用したホームページ表示装置について説明したが、１台のホームページ表示装置で複数のＵＲＬ情報検出方法を実行することができるように構成し、それら複数の検出方法のうちから所望の検出方法を選択して実行できるように構成してもよい。
【０１１７】
図１９は、ホームページ表示に関する設定画面を示す図である。
【０１１８】
図１９に示すように、このホームページ表示設定画面８９には、ホームページ表示を有効にするかまたは無効にするかを選択するためのボタン８９ａと、３通りのＵＲＬ情報検出方法のうちから所望の検出方法を選択するためのボタン８９ｂと、ＯＫボタン８９ｃと、キャンセルボタン８９ｄとが備えられている。
【０１１９】
本発明のホームページ表示装置を、複数の検出方法でＵＲＬ情報を検出できるように構成しておくことにより、利用者は、図１９に示すホームページ表示設定画面８９を用いて所望のＵＲＬ情報検出方法を選択することができる。
【０１２０】
また、本発明のホームページ表示装置に、ビデオ録画予約機能と同様なホームページＵＲＬ録画予約機能を付加しておくことにより、テレビ放送受信中にＵＲＬ情報を自動的に収集し保存することができる。
【０１２１】
図２０は、ホームページＵＲＬ録画予約設定画面を示す図である。
【０１２２】
図２０に示すように、このホームページＵＲＬ録画予約設定画面９０には、録画開始日時、録画終了日時、チャンネルを入力する日時直接入力欄９０ａと、Ｇコード入力欄９０ｂと、録画・再生選択欄９０ｃと、ＯＫボタン９０ｄと、キャンセルボタン９０ｅとが備えられている。
【０１２３】
利用者は、ホームページＵＲＬ録画予約機能が付加されたホームページ表示装置に備えられたホームページＵＲＬ録画予約設定画面９０を用いて所望の日時のテレビ番組の録画・再生をホームページ表示装置に指示する。指示を受けたホームページ表示装置は、ＵＲＬを自動的に収集しＵＲＬデータベース等に保存する。利用者により再生が指示されると、ＵＲＬデータベースに保存されたＵＲＬに基づいてホームページ情報が順次表示される。
【０１２４】
【発明の効果】
以上、説明したように、本発明のホームページ表示装置によれば、利用者による特別な操作なしに、　　受信中のテレビ放送の内容に関連のあるホームページ情報をテレビ放送の番組進行と同期して表示することのできるホームページ表示装置を実現することができる。
【図面の簡単な説明】
【図１】第１の実施形態のホームページ表示装置の概略構成図である。
【図２】第１の実施形態のホームページ表示装置が組み込まれたコンピュータシステムの概要図である。
【図３】図２に示したコンピュータシステムのハードウェア構成図である。
【図４】第１の実施形態におけるテレビ放送局側で収集したＵＲＬ情報を示す図である。
【図５】第１の実施形態における放送信号に含まれる所在情報のフォーマットである。
【図６】第１の実施形態におけるテレビ放送局から所在情報が送信される様子を示す図である。
【図７】第１の実施形態におけるテレビ放送の受信信号からＵＲＬ情報を取得する様子を示す図である。
【図８】第１の実施形態のホームページ表示装置における処理の流れを示すフローチャートである。
【図９】本実施形態に用いられるＵＲＬデータベースのデータ構造を示す図である。
【図１０】第２の実施形態のホームページ表示装置の概略構成図である。
【図１１】第２の実施形態のホームページ表示装置が組み込まれたコンピュータシステムの概要図である。
【図１２】第２の実施形態のホームページ表示装置における処理の流れを示すフローチャートである。
【図１３】第３の実施形態のホームページ表示装置の概略構成図である。
【図１４】第３の実施形態のホームページ表示装置における処理の流れを示すフローチャートである。
【図１５】第４の実施形態のホームページ表示装置の概略構成図である。
【図１６】第４の実施形態のホームページ表示装置における処理の流れを示すフローチャートである。
【図１７】第５の実施形態のホームページ表示装置の概略構成図である。
【図１８】第５の実施形態のホームページ表示装置における処理の流れを示すフローチャートである。
【図１９】ホームページ表示に関する設定画面を示す図である。
【図２０】ホームページＵＲＬ録画予約設定画面を示す図である。
【図２１】従来の、テレビ放送受信中にＵＲＬ情報を取得しそのに基づきホームページ情報を入手する場合の概要図である。
【符号の説明】
１０，２０，４０，５０　　ホームページ表示装置
１１，２１　　放送受信部
１２，２２　　第１の表示部
１２ａ　　第１の表示領域
１２ｂ　　第２の表示領域
１３，２３，４３　　ホームページ情報取得部
１４，２４，４４　　第２の表示部
２５，４５　　検索部
４１　　音声受信部
４２　　音声認識部
５１　　コンピュータ本体
５２　　表示装置
５２＿１　　第１の表示領域
５２＿２　　第２の表示領域
５３　　キーボード
５４　　赤外線コマンダ
５５　　通信回線
５６　　ＴＶアンテナ
５８　　所在情報
５８ａ　　ＵＲＬ開始ヘッダ
５８ｂ　　関連情報
５８ｃ　　ＵＲＬ情報
５８ｄ　　ＵＲＬ終了フッタ
６０　　テレビ放送局
６１　　インターネット
６２　　コンピュータシステム
６３　　ファイル
６４　　映像信号
６５　　垂直帰線区間
６６　　送信アンテナ
６７　　放送信号
７０　　ホームページ表示装置
７１　　映像信号
７２　　垂直帰線区間
７３　　インターネット
７４　　表示装置
７４ａ　　テレビ放送
７４ｂ　　ホームページ情報
７５　　ＵＲＬデータベース
７５ａ　　商品名・会社名等の情報
７５ｂ　　ＵＲＬ
７５ｃ　　最終アクセス日時
８０　　コンピュータシステム
８１　　コンピュータ本体
８２　　表示装置
８３　　キーボード
８４　　赤外線コマンダ
８５　　通信回線
８６　　ＴＶアンテナ
８７　　テレビ受像機
８８　　リモートコントローラ
８９　　ホームページ表示設定画面
８９ａ，８９ｂ　　ボタン
８９ｃ　　ＯＫボタン
８９ｄ　　キャンセルボタン
９０　　ホームページＵＲＬ録画予約設定画面
９０ａ　　日時直接入力欄
９０ｂ　　Ｇコード入力欄
９０ｃ　　録画・再生選択欄
９０ｄ　　ＯＫボタン
９０ｅ　　キャンセルボタン
９１　　テレビ画面
９２　　メモ
９３　　パーソナルコンピュータ
１０１，２０１　　ＣＰＵ（中央演算処理装置）
１０２，２０２　　メモリ
１０３，２０３　　表示部
１０４，２０４　　キーボード
１０５，２０５　　赤外線コマンダ
１０６，２０６　　ファイル
１０７　　テレビチューナ部
１０７ａ　　テレビアンテナ
１０８，２０８　　通信制御部
１０８ａ，２０８ａ　　インターネット
１０９，２０９　　バス
【図１】
2004023641.tif 000003
【図２】
2004023641.tif 000004
【図３】
2004023641.tif 000005
【図４】
2004023641.tif 000006
【図５】
2004023641.tif 000007
【図６】
2004023641.tif 000008
【図７】
2004023641.tif 000009
【図８】
2004023641.tif 000010
【図９】
2004023641.tif 000011
【図１０】
2004023641.tif 000012
【図１１】
2004023641.tif 000013
【図１２】
2004023641.tif 000014
【図１３】
2004023641.tif 000015
【図１４】
2004023641.tif 000016
【図１５】
2004023641.tif 000017
【図１６】
2004023641.tif 000018
【図１７】
2004023641.tif 000019
【図１８】
2004023641.tif 000020
【図１９】
2004023641.tif 000021
【図２０】
2004023641.tif 000022
【図２１】
2004023641.tif 000023